(57)【要約】【課題】  ソフトに身体接触部位を摩ることが出来るようなマッサージ器に付いて、使用中に取り落としてしまうようなことを防止したり、他のマッサージ器との併用が容易となるようにする。【解決手段】  筐体（１）の一側に指などを通すための孔が開いた環状部（１０）が設けられている。筐体（１）の中程には、上記環状部（１０）が設けられている向きで取付部（２）が分岐して設けられている。この取付部（２）内には電動モータ（４）が収められている。この電動モータ（４）の回転軸（４０）には、上記取付部（２）の外にあって身体を摩るためのブラシ車（３）が固定されている。そしてこのブラシ車（３）はその表面に柔軟な毛足部（３０）を有している。【選択図】図２
2018057774.tif 000002
【特許請求の範囲】
【請求項１】
筐体内に収められた電動モータと、前記筐体外に出された前記電動モータの回転軸と、この回転軸に取り付けられて回転して回転面で身体を摩るようにする柔軟な回転体と、から成るマッサージ器であって、前記筐体に棒状体または指が挿入可能な環状部を備えている、身体接触部位を摩るマッサージ器。
【請求項２】
前記回転体が柔軟なブラシ車である、請求項１に記載の身体接触部位を摩るマッサージ器。
【請求項３】
前記回転体が柔軟な羽根車であり、この羽根車の羽根は回転時にその回転面に於いて肌に引っ掛かるような感触を与えにくいように回転方向に凸湾曲させて成るものであるか、または肌に触れてその抵抗を受けることで回転方向に凸湾曲するものである、請求項１に記載の身体接触部位を摩るマッサージ器。
【請求項４】
前記環状部の内側に、ここに挿通される棒状体または指が滑り難くなるようにするための滑り止め部が設けられている、請求項１乃至請求項３に何れか一に記載の身体接触部位を摩るマッサージ器。
【請求項５】
前記環状部と前記滑り止め部との間に回動環を介在させて成る、請求項４に記載の身体接触部位を摩るマッサージ器。
【請求項６】
前記ブラシ車または前記羽根車が、前記回転軸に着脱部を以て着脱自在に設けられている、請求項１乃至請求項３に何れか一に記載の身体接触部位を摩るマッサージ器。
【発明の詳細な説明】
【技術分野】
【０００１】  本発明は、他のマッサージ器や指などの身体に取り付けて、身体接触部位を摩ることが可能なマッサージ器に関する。
【背景技術】
【０００２】  東洋医学で言う所の「あんま」や「指圧」は所謂マッサージのことであり、患部に対して手の指や手のひらで摩る、揉む、叩く、押すなどを行うことである。例えば特開２００９−０５０５７５の「手マッサージ器」は空気で幹部を圧迫するためのものであり、特開２００９−１６５５７１の「電動器具」は指圧に係る器具であり、特開２０１０−１１５４５９は「足裏マッサージ器」に関するものである。【０００３】  手の指や手のひらで摩る、揉む、叩く、押すことの内、揉む、叩く、押すは上掲の先行技術によって実現されている。しかしながらサワサワとした柔軟さを伴ってソフトに皮膚を摩ることが出来るようなマッサージ器と言うものはこれまでにはなかった。このような動作をするマッサージ器があれば、皮膚にとって新感覚のマッサージを与えるものとなるに違いない。ある意味で癒し的なマッサージであると言える。またこのようなマッサージ器を従来のマッサージ器と併用することが出来ればなお良い。また当出願人は先に、特許第５５７８３５８号および実用新案登録第３１７０８６１号のマッサージ器を実用化したが、更にこれ等とはまた異なる摩り方の異なるマッサージ器を提供したいものと考えた。【０００４】  このようにして実用化したものが特願２０１５−２２４２８３のマッサージ器である。このものは筐体内に収められた電動モータと、筐体外にあって電動モータに取り付けられて回転して身体を摩るようにするブラシ車と、から成り、ブラシ車が、電動モータの回転軸に取り付けられた回転部と、この回転部の回転面に設けられた柔軟なブラシとを有するものである。この構成によりサワサワとした柔軟さを伴ってソフトに皮膚を摩ると言った皮膚に新感覚を与えることが可能なマッサージ器を提供することが出来た。
【先行技術文献】
【特許文献】
【０００５】
【特許文献１】特開２００９−０５０５７５号公報
【特許文献２】特開２００９−１６５５７１号公報
【特許文献３】特開２０１０−１１５４５９号公報
【特許文献４】特許第５５７８３５８号公報
【特許文献５】実用新案登録第３１７０８６１号公報
【特許文献６】特願２０１５−２２４２８３号（未公開）
【発明の概要】
【発明が解決しようとする課題】
【０００６】  このように有効なマッサージ器ではあるが、そもそも手に持って使用するものであるため、筐体が比較的に小さかったり滑りやすいものであると、使用中に取り落としてしまうようなことが起こりやすい。一方このように有効なマッサージ器を、電動モータの回転軸に偏心重錘を備えて振動を発生して身体をマッサージするような、いわゆるバイブレータと併用したいとする場合があるが、２種のマッサージ器を同時に持って操作するのは意外に難しいことである。【０００７】  そこで本発明はこのような問題点の何れか一を、または双方を共に解決することを課題とする。
【課題を解決するための手段】
【０００８】  当発明者は、筐体内に収められた電動モータと、前記筐体外に出された前記電動モータの回転軸と、この回転軸に取り付けられて回転して回転面で身体を摩るようにする柔軟な回転体と、から成るマッサージ器の前記筐体に環状部を設けて、該環状部に棒状体または指を挿入可能にすれば良い、と言う知見を得た。【０００９】  すなわち本発明は、筐体内に収められた電動モータと、前記筐体外に出された前記電動モータの回転軸と、この回転軸に取り付けられて回転して回転面で身体を摩るようにする柔軟なブラシ車とから成るマッサージ器であって、前記筐体に棒状体または指が挿入可能な環状部を備えている、身体接触部位を摩るマッサージ器とすることによって上記課題を解決する。当該ブラシ車が前記回転体である。また環状部は棒状体や指が挿入可能な孔部のことである。【００１０】  柔軟なブラシ車は電動モータによって回転するが、ブラシ車は筐体外に出ているため、この回転面すなわちブラシの先で身体を摩ることが出来る。しかもサワサワとした柔軟さを伴いソフトに皮膚を摩るこの感覚は、上記ブラシ車同様マッサージ器としては全く新しく癒し的なものである。【００１１】  また本発明は、筐体内に収められた電動モータと、前記筐体外に出された前記電動モータの回転軸と、この回転軸に取り付けられて回転して身体を摩るようにする柔軟な羽根車とから成り、この羽根車の羽根は回転時にその回転面に於いて肌に引っ掛かるような感触を与えにくいように回転方向に凸湾曲させて成るものであるか、または肌に触れてその抵抗を受けることで回転方向に凸湾曲するものであるマッサージ器であって、前記筐体に棒状体または指が挿入可能な環状部を備えている、身体接触部位を摩るマッサージ器とすることによって上記課題を解決する。当該羽根車が前記回転体である。【００１２】  柔軟な羽根車は電動モータによって回転するが、羽根車は筐体外に出ているためにこの回転面すなわち羽根車の先で身体を摩ることが出来る。回転する１枚１枚の羽根でサワサワとした柔軟さを伴いソフトに皮膚を摩るこの感覚は、マッサージ器としては全く新しく癒し的なものである。【００１３】  本発明の上記２種類のマッサージ器の用途として、美顔マッサージや頭皮マッサージや痛みのある筋肉表層部のマッサージなどを上げる。なお本発明のマッサージ器によれば、ブラシの先の回転面や羽根車の先の回転面で肌に接するのであって、特許第５５７８３５８号や実用新案登録第３１７０８６１号のマッサージ器とは身体を摩る方向が違うため、得られる感覚にも大きな違いを生ずる点が特徴である。【００１４】  しかも前記筐体が（１）棒状体、または（２）指が挿入可能な環状部、を備えている。ここで（１）の棒状態には指圧棒や、電動モータの回転軸に偏心重錘を備えて振動を発生して身体をマッサージする棒状のバイブレータを上げる。このような棒状体を上記環状部に挿入するようにして、当該棒状体に本発明のマッサージ器を取り付けるのである。棒状体はマッサージ器の上記筐体よりも長いものであるため、筐体よりは確実に持ちやすく、使用中に取り落としてしまうことも少ない。結果的に上記筐体を取り落としすことも少なくなるのである。これによって他のマッサ���ジ器による揉む、叩く、押すなどの感触に加えて、本発明のブラシ車や羽根車によるソフトに皮膚を摩る新しい感覚を味わうことが可能になる。また前記ブラシ車や羽根車が前記筐体に複数並設されているものとすることが出来る。これにより身体を摩ることの出来る面積を増やすことが可能になる。なお回転するブラシ車や羽根車の先の回転面で身体を摩るようにするわけであるから、例えば２個のブラシ車を並設した場合に、両者共に順回転するようにも各々逆回転するようにも設計可能である。それぞれ身体を摩るサワサワ感が異なったものになる。羽根車に付いても同様である。またブラシ車と羽根車とを並設するような設計も可能であり、この場合にもやはりそれぞれで身体を摩るサワサワ感が異なったものになる。次に（２）の環状部に指を挿入した場合は、やはり筐体を使用中に取り落としてしまうことが少なくなる。挿入した指を曲げて指で握り持つようにすることも可能である。【００１５】  なお上記羽根車の回転中心部に柔軟なブラシ車を有しているものとした場合には、上記羽根車の先の回転面と共に、ブラシの先の回転面でも肌に接するので、従来のマッサージ器とは大きく異なる新感覚の癒し的なマッサージ効果がある。なお同時に回転する羽根車とブラシ車ではあるが、羽根車部分だけを肌に接するようにする、或いはブラシ車部分だけを肌に接するようにする、と言うような使い分けも可能である。【００１６】  さて、本発明の上述した２種の解決手段に於いて、前記環状部の内側に、ここに挿通される棒状体または指が滑り難くなるようにするための滑り止め部が設けられているものとすることが出来る。ここに挿通される指や棒状のバイブレータにとっては、本発明のマッサージ器が滑り難くなる。更に前記環状部と前記滑り止め部との間に回動環を介在させて成るものとすることが出来る。指や棒状のバイブレータなどにはしっかり止まるものの、これ等に対して本発明のマッサージ器が自由に回動して角度を調節することが出来るようになる。どちらの方向にも角度調節が可能になる。【００１７】  また、本発明の上述した２種の解決手段に付いて、前記ブラシ車または前記羽根車が、前記回転軸に着脱部を以て着脱自在に設けられているものとすることが出来る。上述した羽根車の回転中心部に柔軟なブラシ車を有しているものに付いても同様の構成とすることが可能である。この構成により消耗するブラシ車や羽根車のメンテナンスが容易になる。またブラシには、毛足の長いものや短いもの、極柔らかいものやそれほどではないもの、各種の異なる素材に成るもの等々、異なる柔軟さを持つものがある。同様に羽根には異なる形状のものや異なる素材から成るものなどがある。従ってブラシ部や羽根部が回転軸に対して着脱自在であれば、これ等を適宜交換して使うことが出来るようにもなる。
【発明の効果】
【００１８】  以上本発明のマッサージ器は、回転体としての柔軟なブラシ車や柔軟な羽根車を備えているマッサージ器の筐体に、棒状体または指が挿入可能な環状部を備えるようにしたものである。この構成により、上記環状部に指を挿入して使用する場合では、筐体を使用中に取り落としてしまうことが少なくなる効果を奏する。また上記環状部に棒状体を挿入して使用する場合では、本発明のマッサージ器と棒状体のマッサージ器との２種のマッサージ器を同時に持つことが容易になると言う効果を奏する。なお棒状体はマッサージ器の上記筐体よりも長いものであるため、筐体よりは確実に持ち易く、使用中に取り落としてしまうことも少なくなり、結果的に上記筐体を取り落としてしまうことが少なくなる。
【図面の簡単な説明】
【００１９】
【図１】  実施例１の全体を表した説明図である。
【図２】  実施例１の内部構成を表した説明図である。
【図３】  実施例１の使用状態を表した説明図である。
【図４】  実施例１の使用状態を表した説明図である。
【図５】  実施例２の全体を表した説明図である。
【図６】  実施例３の回転体６の説明図である。
【発明を実施するための形態】
【００２０】  以下では本発明の皮膚用のマッサージ器の３つの実施例を図面に基づいて説明するが、本発明はこれ等に限定されるものではなく、本発明の思想の範囲内で工夫される種々変形例もまた本発明の権利範囲に含まれるものである。
【実施例１】
【００２１】  本実施例を図１乃至図４を用いて説明する。筐体１は電動モータ４並びに図示しない電池ボックス及び電源スイッチを内蔵する。これ等は電動モータ４のＯＮ／ＯＦＦを可能にするために電気的に適切に接続されている。また筐体１にはその一側に孔が開いた環状部１０が設けられている。この環状部１０が設けられている向きで筐体１の中程には、本実施例では分岐しているかのようにデザインされた取付部２が設けられている。取付部２と言うのはブラシ車３を取り付ける部位と言う意味である。このブラシ車３の表面にはたくさんの毛足部３０が形成されている。これが上述した回転体である。【００２２】  取付部２には電動モータ４を納めるための鎖線で表したケース２０が設けられており、電動モータ４の回転軸４０にブラシ車３が固定されている。このブラシ車３は取付部２すなわち筐体１の外にあって、その回転面で身体を摩るように設けられている。【００２３】  次に、このように構成された本実施例の使用法を説明する。図３で環状部１０に指Ｆを挿入した状態を表わす。また図４で環状部１０に電動モータの回転軸に偏心重錘を備えて振動を発生して身体をマッサージする棒状のバイブレータＢを挿入した状態を表わす。符号ＳＷは押釦スイッチを指し、この内部に上述した電源スイッチが納められている。なお更に電動モータ４の回転制御のための電子回路を備えるようにしても良い。【００２４】  環状部１０には、上記取付部２が設けられている側とは反対側から取付部２の側に向かって指を挿入するようにする。或いはこの逆の方向に環状部１０に指を挿入する使用法も可能である。この時に、環状部１０に通した指で環状部１０を握り持つようにすることが出来る。何れにしても筐体１を取り落としてしまうことが少なくなる。【００２５】  また環状部１０には、上記同様にして棒状のバイブレータＢを挿入する。すると棒状のバイブレータＢを持つだけで、筐体１のマッサージ器を同時に持つことになり、筐体１だけを持つ場合よりもずっと持ち易くなり、また両者を同時に使用することが出来るようになる。これによって棒状のバイブレータＢによる振動マッサージに加えて、ブラシ車３の毛足部３０によるソフトに皮膚を摩る新しい感覚を味わうことが可能になる。なお棒状のバイブレータＢの代わりに指圧専用の棒状体、それが環状部１０に挿入可能な太さのものであれば、たとえそれが多少緩く挿入されるとしても、を用いることが出来る。
【実施例２】
【００２６】  次に本実施例を図５を用いて説明する。基本的な構成は上述の実施例１に倣うが、羽根５０を有する羽根車５を用いる点で異なる。すなわち筐体１１は電動モータ４１並びに、図示しない電池ボックス及び電源スイッチを内蔵する。また筐体１１にはその一側に孔が開いた環状部１２が設けられている。この環状部１２の内側には、ここに挿通される指や棒状のバイブレータＢなどが滑り難くなるようにするための滑り止めである、シリコーンゴム製のリング１３が填め込まれている。この環状部１２が設けられている向きで、筐体１１の中程には取付部２１が設けられている。【００２７】  取付部２１と言うのは羽根車５を取り付ける部位と言う意味である。この羽根車５には複数枚の羽根５０が形成されている。これが上述した回転体である。そして取付部２１の環状部１２に面する側には開口部２２が設けられており、取付部２１の内部に電動モータ４１の回転軸４２に固定された羽根車５の羽根５０が、この開口部２２から取付部２１の外に出るように構成されている。この羽根５０は、上述した柔軟なブラシ車３と同様に、肌に触れてその抵抗を受けることで回転方向に肌を避けるすなわち曲がるように柔らかく形成されている。また羽根車５とその回転軸４２は、ブラシ車３の回転軸４０とは軸方向が９０度異なり、図５から明らかであるように、環状部１２の上記取付部２１が設けられている側とは反対側から取付部２１の側に向かって環状部１２に指を挿入した状態では、恰も指Ｆの腹や爪Ｔを磨くことが出来るかのように、羽根車５が取り付けられているのである。【００２８】  なお羽根車５の羽根５０はその回転時にその回転面に於いて肌に引っ掛かるような感触を与えにくいように柔軟に作られているが、これとは別に、図示はしないが羽根車の羽根を初めから回転方向に凸湾曲状に曲がっているように成形したものとすることが出来る。何れにせよ羽根車の羽根によるソフトに皮膚を摩る新しい感覚を味わうことが出来る。
【実施例３】
【００２９】  次に本実施例を図６を用いて説明する。図６では実施例１の取付部２や実施例２の取付部２１に対応する取付部２３のみを図示する。他の部位の基本的な構成は実施例１や実施例２の構成に倣う。その取付部２３の頂部には取付部２３の内部に納められた電動モータ７の回転軸７０が取り出され、この回転軸７０には伝導車２４が固定されている。またこの伝導車２４には凹部２５が形成されており、凹部２５の内周部には螺子２６が形成されている。【００３０】  一方、柔軟なシリコーンゴム製の台形状の羽根車６には複数枚の羽根６０が回転対称に設けられている。複数枚の羽根６０は羽根車６に対して、台形の上面部と側面部とに両者を跨るようにして設けられている。また羽根車６の頂部には突出部６１とこの先方に延びる毛足部６２とが形成されている。更に羽根車６の底部には円柱状の凸部６３が形成されており、凸部６３の外周部には螺子６４が形成されている。従って螺子６４が螺子２６に螺合する。なお何れの螺子も電動モータ７の回転によって締まるように設けられている。【００３１】  上記羽根車６は凸部６３の螺子６４を以て伝導車２４の凹部２５の螺子２６に螺合させることで、取付部２３の頂部に取り付けることが出来る。すなわち羽根車６は取付部２３に対して着脱自在に設けられていることになる。従って羽根６０や毛足部６２などが消耗して来たならば、新しい羽根車６に交換することが出来るようになる。また異なる形状のものや異なる素材から成る羽根になる羽根車６や、毛足の長いものや短いもの、極柔らかいものやそれほどではないもの、各種の異なる素材に成るもの等々様々な種類の柔軟さを持つ羽根車６を用意しておけば、必要に応じて交換することが可能になる。なお着脱手段は上述した凸部６３と凹部２５との組み合わせに限られることなく任意に設計し得る。【００３２】  なお複数枚の羽根６０が、羽根車６に対して、台形の上面部と側面部とに両者を跨るようにして設けられている。これは電動モータ７をＯＮにすると羽根車６の羽根６０が回転運動を行って、羽根６０の肌に触れた部位が、肌の抵抗を受けることで回転方向に凸湾曲して、肌に引っ掛かるような感触を与えにくいように動作するが、この際に肌をこの羽根６０の、上記台形状の羽根車６の上面部に接触させるようにする場合と、側面部に接触させるようにする場合とで使い分けることが出来るようにするための構成である。【００３３】  さて本発明のその他の実施例を図示せずに説明する。回転体はその回転面で身体を柔らかく摩るようにするものであるから、この性能を有するものであれば任意に使用することが出来る。上記ブラシ車や羽根車の他にも例えば表面に突起を有するもの、多少ネバ付くような性質の樹脂によるのも、皮膚を軽くスパッタリングし得る構成のもの、電極を備えて電気刺激を皮膚に及ぼすように構成されたものなどで回転体を作るのである。要は患部各所に適する構成を採用すれば良い。【００３４】  なお上述の実施例２では、環状部１２の内側に、ここに挿通される指や棒状のバイブレータＢなどが滑り難くなるようにするためのシリコーンゴム製のリング１３が填め込まれている構成を説明した。更に図５で鎖線で表したように、環状部１２の内側とリング１３との間に回動環１４を介在させた構成とすることが可能である。回動環１４は何れの方向にも回転させることが可能なものである。この構成により筐体１１は、指や棒状のバイブレータＢなどにはしっかり止まるものの、これ等に対して自由に回動して角度を調節することが出来るようにもなる。
【産業上の利用可能性】
【００３５】  本発明はペット用のマッサージ器として構成することが可能である。
【符号の説明】
【００３６】  １    筐体                              １０  環状部
１１  筐体                              １２  環状部
１３  リング                            １４  回動環
２    取付部                            ２０  ケース
２１  取付部                            ２２  開口部
２３  取付部                            ２４  伝導車
２５  凹部                              ２６  螺子
３    ブラシ車                          ３０  毛足部
４    電動モータ                        ４０  回転軸
４１  電動モータ                        ４２  回転軸
５    羽根車                            ５０  羽根
６    羽根車                            ６０  羽根
６１  突出部                            ６２  毛足部
６３  凸部                              ６４  螺子
７    電動モータ                        ７０  回転軸
【図１】
2018057774.tif 000003
【図２】
2018057774.tif 000004
【図３】
2018057774.tif 000005
【図４】
2018057774.tif 000006
【図５】
2018057774.tif 000007
【図６】
2018057774.tif 000008
【手続補正書】
【提出日】平成29年12月4日(2017.12.4)
【手続補正１】
【補正対象書類名】特許請求の範囲
【補正対象項目名】請求項１
【補正方法】変更
【補正の内容】
【請求項１】
筐体内に収められた電動モータと、前記筐体外に出された前記電動モータの回転軸と、この回転軸に取り付けられて回転して回転面で身体を摩るようにする柔軟な回転体と、から成るマッサージ器であって、前記筐体に棒状体または指が挿入可能な環状部を設けると共に、前記回転体の前記回転面で身体を摩るようにする接触方向が前記環状部に棒状体または指を挿入する方向と一致するようにして前記筐体に前記回転体を設けたことを特徴とする、身体接触部位を摩るマッサージ器。